(57)【特許請求の範囲】
【請求項１】
複数のチューナに接続され、受信した電波から複数の映像信号を抽出／増幅し、各チューナによって選択されたチャンネルの映像信号を該チューナに与える受信装置であって、
それぞれが前記複数のチューナに接続され、信号の授受を行なうための複数の信号入出力端子、
前記受信した電波から前記複数の映像信号を抽出／増幅する抽出／増幅回路、各信号入出力端子に対応して設けられ、チューナから対応の信号入出力端子を介して与えられた直流電圧のレベルに従って、前記抽出／増幅回路で生成された複数の映像信号のうちのいずれかの映像信号を選択し、その映像信号を対応の信号入出力端子を介して前記チューナに与える切換回路、および
各信号入出力端子を介して与えられる直流電圧によって駆動され、前記抽出／増幅回路の電源電圧を生成するとともに、前記抽出／増幅回路の消費電流を前記複数の信号入出力端子に等分配する電源回路を備える、受信装置。
【請求項２】
前記電源回路は、
各信号入出力端子に対応して設けられて対応の信号入出力端子を介して与えられる直流電圧によって駆動され、予め定められた第１の直流電圧を生成する第１の電圧発生回路、
前記複数の信号入出力端子のうちの少なくとも１つの信号入出力端子を介して与えられる直流電圧によって駆動され、予め定められた第２の直流電圧を生成する第２の電圧発生回路、および
各第１の電圧発生回路に対応して設けられ、その第１の電極が対応の第１電圧発生回路で生成された第１の直流電圧を受け、その入力電極が前記第２の電圧発生回路で生成された第２の直流電圧を受け、その第２の電極から前記抽出／増幅回路に電源電流を与えるためのトランジスタを含む、請求項１に記載の受信装置。
【請求項３】
前記電源回路は、さらに、それぞれが前記複数の信号入出力端子と前記第２の電圧発生回路の電源ノードとの間に接続された複数のダイオード素子を含む、請求項２に記載の受信装置。
【請求項４】
さらに、各信号入出力端子に対応して設けられて対応の第１電圧発生回路で生成された第１の直流電圧によって駆動され、対応の切換回路からの映像信号を増幅して対応の信号入出力端子に伝達させる増幅回路を備える、請求項２または請求項３に記載の受信装置。
【発明の詳細な説明】
【０００１】
【発明の属する技術分野】
この発明は受信装置に関し、特に、複数のチューナで共用される受信装置に関する。
【０００２】
【従来の技術】
図５は、従来の衛星放送システムの受信部の構成を示すブロック図である。図５において、この衛星放送システムの受信部は、反射器３１およびＬＮＢ（Ｌｏｗ  Ｎｏｉｓｅ  Ｂｌｏｃｋ  ｄｏｗｎ  ｃｏｎｖｅｒｔｅｒ）３２を含むアンテナ３０と、ＤＢＳ（Ｄｉｒｅｃｔ  Ｂｒｏａｄｃａｓｔｉｎｇ  ｂｙ  Ｓａｔｅｌｌｉｔｅ）チューナ３４、ＦＭ復調器３５、ビデオ＋オーディオ回路３６および増幅器３７を含むレシーバ３３と、テレビ受像機３８とを備える。
【０００３】
衛星から出射された電波αは、反射器３１を介してＬＮＢ３２に入射される。ＬＮＢ３２は、受信した電波αから複数チャンネルの映像信号を抽出するとともに低雑音増幅し、ＤＢＳチューナ３４によって選択されたチャンネルの映像信号をＤＢＳチューナ３４に与える。ＬＮＢ３２の出力信号は、ＤＢＳチューナ３４を介してＦＭ復調器３５に与えられ、ＦＭ復調器３５でＦＭ復調される。
【０００４】
ＦＭ復調された映像信号は、ビデオ＋オーディオ回路３６によってビデオ信号およびオーディオ信号に変換され、増幅器３７で増幅されてテレビ受像機３８に与えられる。テレビ受像機３８の画面には、ＤＢＳチューナ３４によって選択されたチャンネルの映像が表示される。
【０００５】
図６は、ＬＮＢ３２の外観構成を示す斜視図である。図６において、ＬＮＢ３２はケース部材４１を備え、ケース部材４１の表面にはフィードホーン４２および信号入出力端子４３が設けられている。アンテナ３０の反射器３１で反射された電波αはフィードホーン４２の開口部４２ａに入射される。ケース部材４１内には、フィードホーン４２に入射された電波αを処理するための信号処理回路が収納されている。信号入出力端子４３は、ケーブルを介してＤＢＳチューナ３４に接続される。
【０００６】
図７は、ＬＮＢ３２の信号処理回路の構成を示す回路ブロック図である。図７において、この信号処理回路は、ＬＮＡ（Ｌｏｗ  Ｎｏｉｓｅ  Ａｍｐｌｉｆｉｅｒ）４４ａ，４４ｂ、バンドパスフィルタ（ＢＬＰ）４５ａ〜４５ｄ、ローカル発振器４６ａ，４６ｂ、ミキサ４７ａ〜４７ｄ、セレクタ４８、ＩＦアンプ４９、ローパスフィルタ（ＬＰＦ）５０およびレギュレータ５１を備える。
【０００７】
フィードホーン４２で受信された水平偏波信号φｈおよび垂直偏波信号φｖは、それぞれＬＮＡ４４ａ，４４ｂによって低雑音増幅される。ＬＮＡ４４ａの出力信号はバンドパスフィルタ４５ａ，４５ｃに与えられ、ＬＮＡ４４ｂの出力信号はバンドパスフィルタ４５ｂ，４５ｄに与えられる。
【０００８】
信号φｈ，φｖの周波数帯域は、１０．７〜１２．７５ＧＨｚである。バンドパスフィルタ４５ａ，４５ｂは、それぞれ信号φｈ，φｖのうちの１０．７〜１１．７ＧＨｚの周波数成分のみを通過させる。バンドパスフィルタ４５ｃ，４５ｄは、それぞれ信号φｈ，φｖのうちの１１．７〜１２．７５ＧＨｚの周波数成分のみを通過させる。バンドパスフィルタ４５ａ〜４５ｄを通過した信号φｈ１，φｖ１，φｈ２，φｖ２は、それぞれミキサ４７ａ〜４７ｄに与えられる。
【０００９】
ローカル発振器４６ａは、９．７５ＧＨｚの高周波信号を生成してミキサ４７ａ，４７ｂに与える。ローカル発振器４６ｂは、１０．６ＧＨｚの高周波信号を生成してミキサ４７ｃ，４７ｄに与える。信号φｈ１，φｖ１は、それぞれミキサ４７ａ，４７ｂによって９５０〜１９５０ＭＨｚのＩＦ信号φ１，φ２に変換される。信号φｈ２，φｖ２は、それぞれミキサ４７ｃ，４７ｄによって１０００〜２１５０ＭＨｚのＩＦ信号φ３，φ４に変換される。
【００１０】
セレクタ４７は、ＤＢＳチューナ３４から入出力端子４３およびローパスフィルタ５０を介して与えられる直流電圧Ｖ１およびクロック信号ＣＬＫに従って、４つのＩＦ信号φ１〜φ４のうちのいずれかのＩＦ信号を選択し、そのＩＦ信号をＩＦアンプ４９および入出力端子４３を介してＤＶＳチューナ３０に与える。直流電圧Ｖ１は、１８Ｖまたは１３Ｖになる。クロック信号ＣＬＫの周波数は２２ＫＨｚであり、その振幅は０．６Ｖである。ローパスフィルタ５０は、直流電圧Ｖ１およびクロック信号ＣＬＫは通過させるが、ＩＦ信号φ１〜φ４は通過させない。
【００１１】
直流電圧Ｖ１が１８Ｖの場合は信号φ１，φ３が選択され、直流電圧Ｖ１が１３Ｖの場合は信号φ２，φ４が選択される。また、クロック信号ＣＬＫが入力されていない場合は信号φ１，φ２が選択され、クロック信号ＣＬＫが入力されている場合は信号φ３，φ４が選択される。したがって、直流電圧Ｖ１が１８Ｖでクロック信号ＣＬＫが入力されない場合は信号φ１が選択され、直流電圧Ｖ１が１３Ｖでクロック信号ＣＬＫが入力されない場合は信号φ２が選択され、直流電圧Ｖ１が１８Ｖでクロック信号ＣＬＫが入力される場合は信号φ３が選択され、直流電圧Ｖ１が１３Ｖでクロック信号ＣＬＫが入力される場合は信号φ４が選択される。
【００１２】
直流電圧Ｖ１は、レギュレータ５１の電源電圧としても用いられる。レギュレータ５１は、直流電圧Ｖ１を電源電圧として９Ｖの直流定電圧Ｖ２および５Ｖの直流定電圧Ｖ３を生成する。ＩＦアンプ４９にはレギュレータ５１で生成された９Ｖの直流定電圧Ｖ２がその電源電圧として与えられ、ＬＮＡ４４ａ，４４ｂおよびローカル発振器４６ａ，４６ｂの各々にはレギュレータ５１で生成された５Ｖの直流定電圧Ｖ３がそれぞれの電源電圧として与えられる。
【００１３】
【発明が解決しようとする課題】
ところで、近年、１台のＬＮＢを複数台のＤＢＳチューナ３４で共用したいというニーズがある。たとえば２台のＤＢＳチューナ３４で共用されるＬＮＢ５５では、図８に示すように、ケース部材５６に１つのフィードホーン５７と２つの信号入出力端子５８ａ，５８ｂが設けられる。
【００１４】
このようなＬＮＢ５５では、ＬＮＡ，ローカル発振器およびＩＦアンプの電源電圧Ｖ２，Ｖ３をどのように生成するかが問題となる。たとえば図９に示すように、２つの信号入出力端子５８ａ，５８ｂをそれぞれローパスフィルタ５９ａ，５９ｂおよびダイオード６０ａ，６０ｂを介してレギュレータ６１の電源ノード６１ａに接続した場合について説明する。ダイオード６０ａ，６０ｂは、２つの信号入出力端子５８ａ，５８ｂの一方に１８Ｖを与え他方に１３Ｖを与えたときに、一方の信号入出力端子から他方の信号入出力端子に電流が流れてＤＢＳチューナ３４が破壊されるのを防止するために設けられる。
【００１５】
この場合は、ＬＮＢ５５の消費電流を２００ｍＡとすると、２つの信号入出力端子５８ａ，５８ｂに同じ直流電圧（１８Ｖまたは１３Ｖ）を与えたときは２つの信号入出力端子５８ａ，５８ｂに同じ値の電流（１００ｍＡ）が流れる。しかし、信号入出力端子５８ａ，５８ｂにそれぞれ１８Ｖおよび１３Ｖを与えたときは、信号入出力端子５８ａに２００ｍＡの電流が流れ信号入出力端子５８ｂには電流は流れない。逆に、信号入出力端子５８ａ，５８ｂにそれぞれ１３Ｖおよび１８Ｖを与えたときは、信号入出力端子５８ｂに２００ｍＡの電流が流れ信号入出力端子５８ａには電流は流れない。このため、チャンネルを切換えるごとに２台のＤＢＳチューナ３４からＬＮＢ５５に流れる電流が大きく変動し、ノイズが発生するという問題があった。このノイズにより、セレクタが誤動作して所望のチャンネルと異なるチャンネルが選択されたり、テレビ受像機３８の映像が乱されていた。
【００１６】
それゆえに、この発明の主たる目的は、複数台のチューナで共用することが可能で、ノイズが少ない受信装置を提供することである。
【００１７】
【課題を解決するための手段】
請求項１に係る発明は、複数のチューナに接続され、受信した電波から複数の映像信号を抽出／増幅し、各チューナによって選択されたチャンネルの映像信号を該チューナに与える受信装置であって、それぞれが複数のチューナに接続され、信号の授受を行なうための複数の信号入出力端子と、受信した電波から複数の映像信号を抽出／増幅する抽出／増幅回路と、各信号入出力端子に対応して設けられ、チューナから対応の信号入出力端子を介して与えられた直流電圧のレベルに従って、抽出／増幅回路で生成された複数の映像信号のうちのいずれかの映像信号を選択し、その映像信号を対応の信号入出力端子を介してチューナに与える切換回路と、各信号入出力端子を介して与えられる直流電圧によって駆動され、抽出／増幅回路の電源電圧を生成するとともに、抽出／増幅回路の消費電流を複数の信号入出力端子に等分配する電源回路とを備えたものである。
【００１８】
請求項２に係る発明では、請求項１に係る発明の電源回路は、各信号入出力端子に対応して設けられて対応の信号入出力端子を介して与えられる直流電圧によって駆動され、予め定められた第１の直流電圧を生成する第１の電圧発生回路と、複数の信号入出力端子のうちの少なくとも１つの信号入出力端子を介して与えられる直流電圧によって駆動され、予め定められた第２の直流電圧を生成する第２の電圧発生回路と、各第１の電圧発生回路に対応して設けられ、その第１の電極が対応の第１電圧発生回路で生成された第１の直流電圧を受け、その入力電極が第２の電圧発生回路で生成された第２の直流電圧を受け、その第２の電極から抽出／増幅回路に電源電流を与えるためのトランジスタを含む。
【００１９】
請求項３に係る発明では、請求項２に係る発明の電源回路は、さらに、それぞれが複数の信号入出力端子と第２の電圧発生回路の電源ノードとの間に接続された複数のダイオード素子を含む。
【００２０】
請求項４に係る発明では、請求項２または３に係る発明に、各信号入出力端子に対応して設けられて対応の第１の電圧発生回路で生成された第１の直流電圧によって駆動され、対応の切換回路からの映像信号を増幅して対応の信号入出力端子に伝達させる増幅回路がさらに設けられる。
【００２１】
【発明の実施の形態】
図１は、この発明の一実施の形態によるＬＮＢ１の外観構成を示す斜視図である。図１において、このＬＮＢ１は、ケース部材２と、その表面に設けられたフィードホーン３および４つの信号入出力端子４ａ〜４ｄとを備える。フィードホーン３の開口部３ａには、アンテナ３０の反射器３１で反射された電波αが入射される。ケース部材２内には、フィードホーン３に入射された電波αを処理するための信号処理回路が収納されている。このＬＮＢ１は、４台のＤＢＳチューナ３４で共用される。４つの信号入出力端子４ａ〜４ｄの各々は、ケーブルを介してＤＢＳチューナ３４に接続される。
【００２２】
図２は、ＬＮＢ１の信号処理回路の構成を示す回路ブロック図である。図２において、この信号処理回路は、ＬＮＡ５ａ，５ｂ、バンドパスフィルタ６ａ〜６ｄ、ローカル発振器７ａ，７ｂ、ミキサ８ａ〜８ｄ、セレクタ９、ＩＦアンプ１０ａ〜１０ｄ、ローパスフィルタ１１ａ〜１１ｄおよび電源回路１２を備える。
【００２３】
フィードホーン３で受信された水平偏波信号φｈおよび垂直偏波信号φｖは、従来のＬＮＢ３２と同様にしてＩＦ信号φ１〜φ４に変換される。すなわち、信号φｈはＬＮＡ５ａで増幅されてバンドパスフィルタ６ａ，６ｃに与えられ、信号φｖはＬＮＡ５ｂで増幅されてバンドパスフィルタ６ｂ，６ｄに与えられる。バンドパスフィルタ６ａ〜６ｄを通過した信号φｈ１，φｖ１，φｈ２，φｖ２は、それぞれミキサ８ａ〜８ｄに与えられる。ローカル発振器７ａで生成された高周波信号はミキサ８ａ，８ｂに与えられ、ローカル発振器７ｂで生成された高周波信号はミキサ８ｃ，８ｄに与えられる。信号φｈ１，φｖ１，φｈ１，φｖ２はそれぞれミキサ８ａ〜８ｄによってＩＦ信号φ１〜φ４に変換される。
【００２４】
セレクタ９は、図３に示すように、４組の切換回路１３ａ〜１３ｄおよび信号検出回路１４ａ〜１４ｄを含む。信号検出回路１４ａ〜１４ｄは、それぞれ、４台のＤＢＳチューナ３４から信号入出力端子４ａ〜４ｄおよびローパスフィルタ１１ａ〜１１ｄを介して与えられた直流電圧Ｖ１ａ〜Ｖ１ｄおよびクロック信号ＣＬＫａ〜ＣＬＫｄに従って、４つの信号Ｓ１ａ〜Ｓ４ａ，…，Ｓ１ｄ〜Ｓ４ｄのうちのいずれかの信号を活性化レベルの「Ｈ」レベルにする。
【００２５】
切換回路１３ａ〜１３ｄは、それぞれ、信号検出回路１４ａ〜１４ｄの出力信号Ｓ１ａ〜Ｓ４ａ，…，Ｓ１ｄ〜Ｓ４ｄに従ってＩＦ信号φ１〜φ４のうちのいずれかのＩＦ信号を選択し、そのＩＦ信号をＩＦアンプ１０ａ〜１０ｄに与える。
【００２６】
切換回路１３ａおよび信号検出回路１４ａでは、直流電圧Ｖ１ａが１８Ｖでクロック信号ＣＬＫａが入力されない場合は信号Ｓ１ａが「Ｈ」レベルにされて信号φ１が選択され、直流電圧Ｖ１ａが１３Ｖでクロック信号ＣＬＫａが入力されない場合は信号Ｓ２ａが「Ｈ」レベルにされて信号φ２が選択され、直流電圧Ｖ１ａが１８Ｖでクロック信号ＣＬＫａが入力される場合は信号Ｓ３ａが「Ｈ」レベルにされて信号φ３が選択され、直流電圧Ｖ１ａが１３Ｖでクロック信号ＣＬＫａが入力されない場合は信号Ｓ４ａが「Ｈ」レベルにされて信号φ４が選択される。他の切換回路１３ｂ〜１３ｄおよび信号検出回路１４ｂ〜１４ｄでも切換回路１３ａおよび信号検出回路１４ａと同様である。
【００２７】
ＩＦアンプ１０ａ〜１０ｄは、それぞれ、切換回路１３ａ〜１３ｄからのＩＦ信号を増幅して信号入出力端子４ａ〜４ｄに与える。ローパスフィルタ１１ａ〜１１ｄは、それぞれ、直流電圧Ｖ１ａ〜Ｖ１ｃおよびクロック信号ＣＬＫａ〜ＣＬＫｄは通過させるがＩＦ信号は通過させない。直流電圧Ｖ１ａ〜Ｖ１ｃは、電源回路１２の電源電圧としても用いられる。
【００２８】
電源回路１２は、図４に示すように、レギュレータ２１ａ〜２１ｄ，２７，２８、ダイオード２２ａ〜２２ｄ，２６ａ〜２６ｄ、ＮＰＮバイポーラトランジスタ２３ａ〜２３ｄおよび抵抗素子２４ａ〜２４ｄ，２５ａ〜２５ｄを含む。
【００２９】
レギュレータ２１ａ〜２１ｄの電源ノードは、それぞれローパスフィルタ１１ａ〜１１ｄの出力ノードに接続される。レギュレータ２１ａ〜２１ｄは、それぞれ、ローパスフィルタ１１ａ〜１１ｄを通過した直流電圧Ｖ１ａ〜Ｖ１ｄを電源電圧として、９Ｖの直流定電圧Ｖ２ａ〜Ｖ２ｄを生成する。９Ｖの直流定電圧Ｖ２ａ〜Ｖ２ｄは、それぞれＩＦアンプ１０ａ〜１０ｄの電源電圧として用いられる。
【００３０】
ダイオード２２ａ〜２２ｄは、それぞれレギュレータ２１ａ〜２１ｄの出力ノードとトランジスタ２３ａ〜２３ｄのコレクタとの間に接続される。抵抗素子２４ａ〜２４ｄは、それぞれトランジスタ２３ａ〜２３ｄのエミッタとレギュレータ２８の電源ノード２８ａとの間に接続される。レギュレータ２８は、電源ノード２８ａに与えられた電圧を電源電圧として、５Ｖの直流定電圧Ｖ３を生成する。５Ｖの直流定電圧Ｖ３は、ＬＮＡ５ａ，５ｂおよびローカル発振器７ａ，７ｂの電源電圧として用いられる。
【００３１】
ダイオード２６ａ〜２６ｄは、それぞれローパスフィルタ１１ａ〜１１ｄの出力ノードとレギュレータ２７の電源ノード２７ａとの間に接続される。抵抗素子２５ａ〜２５ｄは、それぞれレギュレータ２７の出力ノード２７ｂとトランジスタ２３ａ〜２３ｄのベースとの間に接続される。レギュレータ２７は、電源ノード２７ａに与えられる電圧を電源電圧として、８Ｖの直流定電圧Ｖ４を生成する。８Ｖの直流定電圧Ｖ４は、トランジスタ２３ａ〜２３ｄのベース電圧として用いられる。
【００３２】
今、信号入出力端子４ａに１３Ｖが与えられ、信号入出力端子４ｂ〜４ｄに１８Ｖが与えられたものとする。このとき、レギュレータ２１ａ〜２１ｄは、それぞれ９Ｖの定電圧Ｖ２ａ〜Ｖ２ｂを出力する。また、信号入出力端子４ｂ〜４ｄからダイオード２６ｂ〜２６ｄを介してレギュレータ２７に１８Ｖが与えられ、レギュレータ２７は８Ｖの直流定電圧Ｖ４を出力する。したがって、ＬＮＡ５ａ，５ｂおよびローカル発振器７ａ，７ｂの消費電流すなわちレギュレータ２８の消費電流４ｉ０は４つのトランジスタ２３ａ〜２３ｄに分配され、トランジスタ２３ａ〜２３ｄの各々には同一の電流ｉ０が流れる。また、レギュレータ２１ａ〜２１ｄの消費電流は、それぞれトランジスタ２３ａ〜２３ｄに流れる電流ｉ０とＩＦアンプ１０ａ〜１０ｄに流れる電流との和となり、ほぼ等しい電流値になる。また、トランジスタ２３ａ〜２３ｄのベース電流は、エミッタ電流ｉ０に比べて十分に小さいので、ダイオード２６ｂ〜２６ｄに流れる電流は信号入出力端子４ａ〜４ｄに流れる電流よりも十分に小さい。
【００３３】
したがって、このＬＮＢ１では、４つの信号入出力端子４ａ〜４ｄの各々に印加される電圧（１３Ｖ，１８Ｖ）に関係なく、４つの信号入出力端子４ａ〜４ｄの各々に同一値の電流が流れる。このため、４つの信号入出力端子４ａ〜４ｄに接続された４台のＤＢＳチューナ３４の各々でチャネルが切換えられても信号入出力端子４ａ〜４ｄに流れる電流は変化せず、ノイズは発生しない。
【００３４】
また、４つの信号入出力端子４ａ〜４ｄのうちの３つの信号入出力端子４ａ〜４ｃのみがチューナに接続された場合は、レギュレータ２８の消費電流は３つのトランジスタ２３ａ〜２３ｃに等分配され、３つの信号入出力端子４ａ〜４ｃには同一値の電流が流れる。レギュレータ２１ｄおよびトランジスタ２３ｄには電流は流れないので、電流が無駄に消費されることはない。
【００３５】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３６】
【発明の効果】
以上のように、請求項１に係る発明では、それぞれ複数のチューナに接続される複数の信号入出力端子と、受信電波から複数の映像信号を抽出／増幅する抽出／増幅回路と、各信号入出力端子に対応して設けられ、対応のチューナから与えられる直流電圧のレベルに従って１つの映像信号を選択し、その映像信号をチューナに与える切換回路と、各信号入出力端子を介して与えられる直流電圧によって駆動され、抽出／増幅回路の電源電圧を生成するとともに、抽出／増幅回路の消費電流を複数の信号入出力端子に等分配する電源回路とが設けられる。したがって、複数の信号入出力端子に互いに異なるレベルの直流電圧が印加されたり、各信号入出力端子の直流電圧のレベルが切換えられた場合でも、各信号入出力端子には一定の電流が流れるので、各信号入力端子に流れる電流が大きく変動していた従来に比べてノイズが小さくなる。
【００３７】
請求項２に係る発明では、請求項１に係る発明の電源回路は、各信号入出力端子に対応して設けられて対応の信号入出力端子を介して与えられる直流電圧によって駆動され第１の直流電圧を生成する第１の電圧発生回路と、少なくとも１つの信号入出力端子を介して与えられる直流電圧によって駆動され第２の直流電圧を生成する第２の電圧発生回路と、各第１の電圧発生回路に対応して設けられ、その第１の電極が対応の第１の電圧発生回路で生成された第１の直流電圧を受け、その入力電極が第２の電圧発生回路で生成された第２の直流電圧を受け、その第２の電極から抽出／増幅回路に電源電流を与えるためのトランジスタとを含む。この場合は、各トランジスタに同一値の電流が流れ、複数のトランジスタの電流の和が抽出／増幅回路の消費電流となる。
【００３８】
請求項３に係る発明では、請求項２に係る発明の電源回路は、さらに、それぞれが複数の信号入出力端子と第２の電圧発生回路の電源ノードとの間に接続された複数のダイオード素子を含む。この場合は、最も高い直流電圧が印加された信号入出力端子からダイオード素子を介して第２の電圧発生回路に直流電圧が与えられる。
【００３９】
請求項４に係る発明では、請求項２または３に係る発明に、各信号入出力端子に対応して設けられる対応の第１の電圧発生回路で生成された第１の直流電圧によって駆動され、対応の切換回路からの映像信号を増幅して対応の信号入出力端子に伝達させる増幅回路がさらに設けられる。この場合は、映像信号を十分に増幅させることができ、また、使用されない増幅器には電源電圧が与えられないので消費電力の低減化が図られる。
【図面の簡単な説明】
【図１】この発明の一実施の形態によるＬＮＢの外観構成を示す斜視図である。
【図２】図１に示したＬＮＢに含まれる信号処理回路の構成を示す回路ブロック図である。
【図３】図２に示したセレクタの構成を示すブロック図である。
【図４】図２に示した電源回路の構成を示す回路ブロック図である。
【図５】従来の衛星放送システムの受信部の構成を示すブロック図である。
【図６】図５に示したＬＮＢの外観構成を示す斜視図である。
【図７】図６に示したＬＮＢに含まれる信号処理回路の構成を示す回路ブロック図である。
【図８】２台のチューナで共用されるＬＮＢの外観構成を示す斜視図である。
【図９】図８に示したＬＮＢの問題点を説明するための回路ブロック図である。
【符号の説明】
１，３２，５５  ＬＮＢ、２，４１，５６  ケース部材、３，４２，５７  フィードホーン、４ａ〜４ｄ，４３，５８ａ，５８ｂ  信号入出力端子、５ａ，５ｂ，４４ａ，４４ｂ  ＬＮＡ、６ａ〜６ｄ，４５ａ〜４５ｄ，５９ａ，５９ｂ  バンドパスフィルタ、７ａ，７ｂ，４６ａ，４６ｂ  ローカル発振器、８ａ〜８ｄ，４７ａ〜４７ｄ  ミキサ、９，４８  セレクタ、１０ａ〜１０ｄ，４９  ＩＦアンプ、１１ａ〜１１ｄ，５０，５９ａ，５９ｂ  ローパスフィルタ、１２  電源回路、１３ａ〜１３ｄ  切換回路、１４ａ〜１４ｄ  信号検出回路、２１ａ〜２１ｄ，２７，２８，５１，６１  レギュレータ、２２ａ〜２２ｄ，２６ａ〜２６ｄ，６０ａ，６０ｂ  ダイオード、２３ａ〜２３ｄ  ＮＰＮバイポーラトランジスタ、２４ａ〜２４ｄ，２５ａ〜２５ｄ  抵抗素子、３０  アンテナ、３１反射器、３３  レシーバ、３４  ＤＢＳチューナ、３５  ＦＭ復調器、３６  ビデオ＋オーディオ回路、３７  増幅器、３８  テレビ受像機。
【図１】
0003600765.tif 000002
【図２】
0003600765.tif 000003
【図３】
0003600765.tif 000004
【図４】
0003600765.tif 000005
【図５】
0003600765.tif 000006
【図６】
0003600765.tif 000007
【図７】
0003600765.tif 000008
【図８】
0003600765.tif 000009
【図９】
0003600765.tif 000010